(57)【特許請求の範囲】
【請求項１】
カメラによる撮像によって得られたビデオ信号とマイクによる集音によって得られた音声信号とを基地局に送信する一方、基地局から送信され受信したビデオ信号に基づく映像をディスプレイによって表示すると共に、基地局から送信され受信した音声信号に基づく音声をスピーカによって放音する携帯型テレビ電話装置において、
上記スピーカを少なくとも保持するキャビネットを、当該スピーカを保持した状態で着脱自在となるよう装置本体とは別体に設ける一方、上記キャビネットを装置本体から取り外した状態において、上記スピーカと装置本体との通信を可能とするように構成するとともに、
上記キャビネットは、装置本体に装着した状態において、少なくとも上記ディスプレイを閉塞するように構成したことを特徴とする携帯型テレビ電話装置。
【請求項２】
カメラによる撮像によって得られたビデオ信号とマイクによる集音によって得られた音声信号とを基地局に送信する一方、基地局から送信され受信したビデオ信号に基づく映像をディスプレイによって表示すると共に、基地局から送信され受信した音声信号に基づく音声をスピーカによって放音する携帯型テレビ電話装置において、
上記スピーカを少なくとも保持するキャビネットを、当該スピーカを保持した状態で着脱自在となるよう装置本体とは別体に設ける一方、上記キャビネットを装置本体から取り外した状態において、上記スピーカと装置本体との通信を可能とするように構成するとともに、
上記キャビネットは、装置本体に装着した状態において、少なくも上記カメラのレンズを閉塞するように構成したことを特徴とする携帯型テレビ電話装置。
【請求項３】
カメラによる撮像によって得られたビデオ信号とマイクによる集音によって得られた音声信号とを基地局に送信する一方、基地局から送信され受信したビデオ信号に基づく映像をディスプレイによって表示すると共に、基地局から送信され受信した音声信号に基づく音声をスピーカによって放音する携帯型テレビ電話装置において、
上記スピーカを少なくとも保持するキャビネットを、当該スピーカを保持した状態で着脱自在となるよう装置本体とは別体に設ける一方、上記キャビネットを装置本体から取り外した状態において、上記スピーカと装置本体との通信を可能とするように構成するとともに、
上記キャビネットが装置本体から取り外されたことが検出されたとき、基地局との無線接続動作を自動的に開始するように構成したことを特徴とする携帯型テレビ電話装置。
【請求項４】
カメラによる撮像によって得られたビデオ信号とマイクによる集音によって得られた音声信号とを基地局に送信する一方、基地局から送信され受信したビデオ信号に基づく映像をディスプレイによって表示すると共に、基地局から送信され受信した音声信号に基づく音声をスピーカによって放音する携帯型テレビ電話装置において、
上記スピーカを少なくとも保持するキャビネットを、当該スピーカを保持した状態で着脱自在となるよう装置本体とは別体に設ける一方、上記キャビネットを装置本体から取り外した状態において、上記スピーカと装置本体との通信を可能とするように構成するとともに、
上記キャビネットが装置本体に装着されたことが検出されたとき、基地局との無線解放動作を自動的に開始するように構成したことを特徴とする携帯型テレビ電話装置。
【請求項５】
カメラによる撮像によって得られたビデオ信号とマイクによる集音によって得られた音声信号とを基地局に送信する一方、基地局から送信され受信したビデオ信号に基づく映像をディスプレイによって表示すると共に、基地局から送信され受信した音声信号に基づく音声をスピーカによって放音する携帯型テレビ電話装置において、
上記スピーカを少なくとも保持するキャビネットを、当該スピーカを保持した状態で着脱自在となるよう装置本体とは別体に設ける一方、上記キャビネットを装置本体から取り外した状態において、上記スピーカと装置本体との通信を可能とするように構成するとともに、
上記キャビネットが装置本体から取り外されたことが検出されたとき、上記カメラによる撮像と上記ディスプレイによる映像表示とを開始させるように構成したことを特徴とする携帯型テレビ電話装置。
【請求項６】
上記キャビネットは、上記マイクをも保持し、装置本体に対して上記スピーカとマイクとを保持した状態で着脱自在となるように設けられる一方、上記キャビネットを装置本体から取り外した状態において、上記スピーカ及びマイクと装置本体との通信を可能とするように構成したことを特徴とする請求項１〜５の何れに記載の携帯型テレビ電話装置。
【請求項７】
上記スピーカ又はマイクは、上記キャビネットを装置本体に装着した状態と装置本体から取り外した状態との何れの状態でも通話に機能するように構成したことを特徴とする請求項１〜６の何れかに記載の携帯型テレビ電話装置。
【請求項８】
上記カメラに入射する光量に基づいて上記キャビネットと装置本体との着脱状態を検出するように構成したことを特徴とする請求項２に記載の携帯型テレビ電話装置。
【請求項９】
上記キャビネットが装置本体に装着されている状態において基地局との無線接続が成されているとき、上記スピーカによる放音と上記マイクによる集音とを用いる通話機能のみを動作させるように構成したことを特徴とする請求項７に記載の携帯型テレビ電話装置。
【請求項１０】
通話機能のみを動作させている状態において、上記キャビネットが装置本体から取り外されたことが検出されたとき、上記カメラによる撮像と上記ディスプレイによる映像表示とを開始させ、上記スピーカによる放音と上記マイクによる集音と上記カメラによる撮像と上記ディスプレイによる映像表示とを用いるテレビ電話機能を動作させるように構成したことを特徴とする請求項９に記載の携帯型テレビ電話装置。
【請求項１１】
カメラによる撮像によって得られたビデオ信号とマイクによる集音によって得られた音声信号とを基地局に送信する一方、基地局から送信され受信したビデオ信号に基づく映像をディスプレイによって表示すると共に、基地局から送信され受信した音声信号に基づく音声をスピーカによって放音する携帯型テレビ電話装置において、
上記スピーカは使用者の耳の近傍に配されて使用される構成であり、上記スピーカを少なくとも保持するキャビネットを、当該スピーカを保持した状態で着脱自在となるよう装置本体とは別体に設ける一方、上記キャビネットを装置本体から取り外した状態において、上記スピーカと装置本体との通信を可能とするように構成し、かつ、上記スピーカを、上記キャビネットを装置本体に装着した状態と装置本体から取り外した状態との何れの状態でも通話に機能するように構成し、
さらに、上記マイクは使用者の口の近傍に配されて使用される構成であり、上記キャビネットは、上記マイクをも保持し、装置本体に対して上記スピーカとマイクとを保持した状態で着脱自在となるように設けられる一方、上記キャビネットを装置本体から取り外した状態において、上記スピーカ及びマイクと装置本体との通信を可能とするように構成し、かつ、上記マイクを、上記キャビネットを装置本体に装着した状態と装置本体から取り外した状態との何れの状態でも通話に機能するように構成したことを特徴とする携帯型テレビ電話装置。
【発明の詳細な説明】
【０００１】
【発明の属する技術分野】
本発明は、携帯型テレビ電話装置に関する。
【０００２】
【従来の技術】
従来より、携帯型テレビ電話装置においては、カメラによって使用者自身を撮像したりディスプレイに表示された相手映像を目視するため、カメラ及びディスプレイと使用者との関係において一定の距離を保つ必要があり、例えば、特開平６−２９２１９５号公報に示されるように、テレビ電話使用時における音声通信に関してはスピーカホン通話や音声出力のみイヤピースを用いるようにするものが提案されていた。
【０００３】
【発明が解決しようとする課題】
ところが、上記従来装置のように、テレビ電話使用時における音声通信に関して、スピーカホン通話を用いるものでは、相手との会話内容が周囲に漏れるといった問題点があり、又音声出力のみイヤピースを用いるものでは、相手との会話内容が周囲に漏れるといったことを防止することができるものの、装置本体のスピーカとは別体にイヤピースを持ち歩く必要があって携帯に不便であると共に、テレビ電話使用時と音声電話使用時とで別々のスピーカが必要であり、しかもテレビ電話を使用する際にイヤピースを探して接続するという煩雑な手続きが必要であるといった問題点があった。
【０００４】
本発明は、テレビ電話使用時において、相手との会話内容が周囲に漏れるといったことや携帯性の劣化及び繁雑な手続きを防止しつつ、カメラ及びディスプレイと使用者との関係において一定の距離を保つことができる携帯型テレビ電話装置を提供することを目的とするものである。
【０００５】
【課題を解決するための手段】
上記目的を達成するために、本発明は、カメラによる撮像によって得られたビデオ信号とマイクによる集音によって得られた音声信号とを基地局に送信する一方、基地局から送信され受信したビデオ信号に基づく映像をディスプレイによって表示すると共に、基地局から送信され受信した音声信号に基づく音声をスピーカによって放音する携帯型テレビ電話装置において、上記スピーカを少なくとも保持するキャビネットを、当該スピーカを保持した状態で着脱自在となるよう装置本体とは別体に設ける一方、上記キャビネットを装置本体から取り外した状態において、上記スピーカと装置本体との通信を可能とするように構成したものである。
【０００６】
本発明は、上記構成に加え、上記キャビネットが、上記マイクをも保持し、装置本体に対して上記スピーカとマイクとを保持した状態で着脱自在となるように設けられる一方、上記キャビネットを装置本体から取り外した状態において、上記スピーカ及びマイクと装置本体との通信を可能とするように構成したものである。
【０００７】
本発明は、上記構成に加え、上記スピーカ又はマイクが、上記キャビネットを装置本体に装着した状態と装置本体から取り外した状態との何れの状態でも通話に機能するように構成したものである。
【０００８】
本発明は、上記構成に加え、上記キャビネットが、装置本体に装着した状態において、少なくとも上記ディスプレイを閉塞するように構成したものである。
【０００９】
本発明は、上記構成に加え、上記キャビネットが、装置本体に装着した状態において、少なくも上記カメラのレンズを閉塞するように構成したものである。
【００１０】
本発明は、上記構成に加え、上記カメラに入射する光量に基づいて上記キャビネットと装置本体との着脱状態を検出するように構成したものである。
【００１１】
本発明は、上記構成に加え、上記キャビネットが装置本体から取り外されたことが検出されたとき、基地局との無線接続動作を自動的に開始するように構成したものである。
【００１２】
本発明は、上記構成に加え、上記キャビネットが装置本体に装着されたことが検出されたとき、基地局との無線解放動作を自動的に開始するように構成したものである。
【００１３】
本発明は、上記構成に加え、上記キャビネットが装置本体から取り外されたことが検出されたとき、上記カメラによる撮像と上記ディスプレイによる映像表示とを開始させるように構成したものである。
【００１４】
本発明は、上記構成に加え、上記キャビネットが装置本体に装着されている状態において基地局との無線接続が成されているとき、上記スピーカによる放音と上記マイクによる集音とを用いる通話機能のみを動作させるように構成したものである。
【００１５】
本発明は、上記構成に加え、通話機能のみを動作させている状態において、上記キャビネットが装置本体から取り外されたことが検出されたとき、上記カメラによる撮像と上記ディスプレイによる映像表示とを開始させ、上記スピーカによる放音と上記マイクによる集音と上記カメラによる撮像と上記ディスプレイによる映像表示とを用いるテレビ電話機能を動作させるように構成したものである。
【００１６】
従って、本発明によれば、スピーカを保持するキャビネットを取り外した状態において、キャビネットに保持されたスピーカと装置本体との通信を可能とすることにより、テレビ電話使用時に必要となるイヤピースを装置本体とは別体として携帯する必要性を無くすことができる。
【００１７】
本発明によれば、スピーカとマイクとを保持するキャビネットを取り外した状態において、キャビネットに保持されたスピーカ及びマイクと装置本体との通信を可能とすることにより、テレビ電話使用時に必要となるイヤピースを装置本体とは別体として携帯する必要性を無くすことができると共に、テレビ電話使用時において必要以上に大きな声で喋る必要性をも無くすことができる。
【００１８】
本発明によれば、キャビネットに保持されるスピーカ又はマイクが、キャビネットを装置本体に装着した状態と装置本体から取り外した状態との何れの状態でも通話に機能することにより、キャビネットを取り外した状態においてテレビ電話として有効にスピーカ又はマイクを使用することができると共に、キャビネットを装着した状態において通常の携帯電話として有効にスピーカ又はマイクを使用することができる。
【００１９】
本発明によれば、キャビネットを装置本体に装着した状態において、キャビネットがディスプレイを閉塞することにより、ディスプレイに対する外力による損傷や指等が接触することによる汚れ等を防止することができる。
【００２０】
本発明によれば、キャビネットを装置本体に装着した状態において、キャビネットがカメラのレンズを閉塞することにより、カメラのレンズに対する外力による損傷や指等が接触することによる汚れ等を防止することができる。
【００２１】
本発明によれば、キャビネットを装置本体に装着した状態において、キャビネットがカメラのレンズを閉塞すると共に、カメラに入射する光量に基づいてキャビネットと装置本体との着脱状態を検出することにより、専用のスイッチや回路等を設けることなく、キャビネットと装置本体との着脱状態を検出することができる。
【００２２】
本発明によれば、キャビネットが装置本体から取り外されたことが検出されたとき、基地局との無線接続動作を自動的に開始することにより、使用者による繁雑な操作を要することなく、テレビ電話を開始させることができる。
【００２３】
本発明によれば、キャビネットが装置本体に装着されたことが検出されたとき、基地局との無線解放動作を自動的に開始することにより、使用者による繁雑な操作を要することなく、テレビ電話を終了させることができる。
【００２４】
本発明によれば、キャビネットが装置本体から取り外されたことが検出されたとき、カメラによる撮像とディスプレイによる映像表示とを開始させることにより、使用者による繁雑な操作を要することなく、自画像等の表示を開始させることができる。
【００２５】
本発明によれば、キャビネットが装置本体に装着されている状態において基地局との無線接続が成されているとき、スピーカによる放音とマイクによる集音とを用いる通話機能のみを動作させることにより、通常の携帯電話として使用した場合における無駄な電力消費を抑制することができる。
【００２６】
本発明によれば、通話機能のみを動作させている状態において、上記キャビネットが装置本体から取り外されたことが検出されたとき、カメラによる撮像とディスプレイによる映像表示とを開始させ、スピーカによる放音とマイクによる集音とカメラによる撮像とディスプレイによる映像表示とを用いるテレビ電話機能を動作させることにより、通常の携帯電話として使用している状態において、使用者による繁雑な操作を要することなく、テレビ電話を開始させることができる。
【００２７】
【発明の実施の形態】
以下、本発明の実施の形態について図面を参照して詳細に説明する。
【００２８】
図１は本発明の一実施の形態である携帯型テレビ電話装置の電気的構成を示す機能ブロック図、図２及び図３は同携帯型テレビ電話装置の外観構造を示す説明図であり、図２は受話ユニットを装着した状態の装置本体を、図３（ａ）は受話ユニットを取り外した状態の装置本体を、図３（ｂ）は装置本体から取り外された受話ユニットの正面を、図３（ｃ）は装置本体から取り外された受話ユニットの裏面をそれぞれ示すものである。図４は同携帯型テレビ電話装置におけるテレビ電話使用時の動作制御を示すフローチャートである。
【００２９】
図５は本発明の他の実施の形態である携帯型電話装置の電気的構成を示す機能ブロック図、図６及び図７は同携帯型テレビ電話装置の外観構造を示す説明図であり、図６は受話ユニットを装着した状態の装置本体を、図７（ａ）は受話ユニットを取り外した状態の装置本体を、図７（ｂ）は装置本体から取り外された受話ユニットの正面を、図７（ｃ）は装置本体から取り外された受話ユニットの裏面をそれぞれ示すものである。図８は同携帯型テレビ電話装置におけるテレビ電話使用時の動作制御を示すフローチャートである。
【００３０】
図９は本発明の更に他の実施の形態である携帯型テレビ電話装置の電気的構成を示す機能ブロック図、図１０乃至図１２は同携帯型テレビ電話装置の外観構造を示す説明図であり、図１０は送受話ユニットを取り外した状態の装置本体を、図１１は送受話ユニットを装着した状態の装置本体の正面を、図１２は送受話ユニットを装着した状態の装置本体の裏面をそれぞれ示すものである。図１３は同携帯型テレビ電話装置の使用形態を示す説明図であり、（ａ）は送受話ユニットを装着した状態の使用形態を、（ｂ）は送受話ユニットを取り外した状態の使用形態をそれぞれ示すものである。図１４は同携帯型テレビ電話装置におけるテレビ電話使用時及び通常電話使用時の動作制御を示すフローチャートである。
【００３１】
以下、本発明の一実施の形態を図１乃至図４に基づいて説明する。
【００３２】
図１乃至図３において、１はアンテナ、２はアンテナ１を介して図示しない基地局との間で電波による信号の送受信を行う高周波送受信部、３は高周波送受信部２によって受信される信号の中から所望の信号を選択受信する受信ユニット、４は受信ユニットからの受信信号をデジタルビデオ信号とデジタル音声信号とに分離するデマルチプレクサ、５はデマルチプレクサ４からのデジタルビデオ信号に所定の信号処理を施してビデオ信号を得るビデオ信号出力部、６はビデオ信号出力部５からのビデオ信号に基づく映像を表示するディスプレイ、７はデマルチプレクサ４からのデジタル音声信号をアナログ音声信号に変換するＤ／Ａ変換部、８はＤ／Ａ変換部７からのアナログ音声信号を増幅する音声増幅部、９は音声増幅部８からのアナログ音声信号に所定の信号処理を施してアンテナ１０を介して受話ユニットＢに送信するアナログ音声用高周波送信部、１０はアンテナである。
【００３３】
１１は集音を行うマイク、１２はマイク１１による集音により得られた音声信号に所定の信号処理を施す音声信号入力部、１３は音声信号入力部１２からのアナログ音声信号をデジタル音声信号に変換するＡ／Ｄ変換部、１４は撮像を行うカメラ、１５はカメラ１４による撮像により得られたビデオ信号に所定の信号処理を施してデジタルビデオ信号を得るビデオ信号入力部、１６はＡ／Ｄ変換部１３からのデジタル音声信号とビデオ信号入力部１５からのデジタルビデオ信号とを多重化するマルチプレクサ、１７はマルチプレクサ１６からの信号に所定の信号処理を施して高周波送受信部２及びアンテナ１を介して図示しない基地局に送信する送信ユニットである。
【００３４】
１８は電話番号の入力や各種機能の起動／停止指示等を行う操作部、１９は受話ユニットＢの着脱状態を検出するスイッチ、２０は各回路部への電力供給を行う電源であり、二次電池等によって構成されている。２１は操作部１８からの各種指示やスイッチ１９のＯＮ／ＯＦＦ状態等に基づいて各回路部を制御する主制御部である。
【００３５】
そして、これらアンテナ１と、高周波送受信部２と、受信ユニット３と、デマルチプレクサ４と、ビデオ信号出力部５と、ディスプレイ６と、Ｄ／Ａ変換部７と、音声増幅部８と、アナログ音声用高周波送信部９と、アンテナ１０と、マイク１１と、音声信号入力部１２と、Ａ／Ｄ変換部１３と、カメラ１４と、ビデオ信号入力部１５と、マルチプレックサ１６と、送信ユニット１７と、操作部１８と、スイッチ１９と、電源２０と、主制御部２１とによってテレビ電話装置の装置本体Ａが構成されている。
【００３６】
２２はアンテナ、２３はアンテナ２２を介して装置本体Ａのアンテナ１０から送信された信号を受信するアナログ音声用高周波受信部、２４はアナログ音声用高周波受信部２３からのアナログ音声信号の低周波成分を増幅する低周波増幅部、２５は低周波増幅部２４からのアナログ音声信号に基づく音声を放音するスピーカ、２６は装置本体Ａとの着脱状態を検出するスイッチ、２７は各回路部への電力供給を行う電源であり、二次電池等によって構成されている。２８はスイッチ２６のＯＮ／ＯＦＦ状態等に基づいて各回路部を制御するユニット制御部であり、これらアンテナ２２と、アナログ音声用高周波受信部２３と、低周波増幅部２４と、スピーカ２５と、スイッチ２６と、電源２７と、ユニット制御部２８とによって受話ユニットＢが構成されている。
【００３７】
そして、このように構成されたテレビ電話装置は、図２及び図３に示すように、装置本体Ａと受話ユニットＢとが別体で且つ着脱自在に設けられている。又、受話ユニットＢは、装置本体Ａからスライドして取り外したときに耳に装着できるようになっており、受話ユニットＢを耳に装着したときにスピーカ２５が耳穴の略中心にくるように設計すると共に、違和感が少なくするために合成樹脂のような柔らかい素材を用いており、且つ装置本体Ａにスライドさせて装着したときにディスプレイ６とカメラ１４のレンズ部分とを閉塞するような構造となっている。更に、装置本体Ａのスイッチ１９と受話ユニットＢのスイッチ２６は、装置本体Ａと受話ユニットＢとの着脱によってＯＮ／ＯＦＦされるような位置にそれぞれ配置されている。
【００３８】
上記のように構成されたテレビ電話装置について、テレビ電話使用時の動作を図４に示すフローチャートに基づいて説明する。
【００３９】
装置本体Ａに受話ユニットＢが装着されている状態において、使用者が受話ユニットＢをスライドして装置本体Ａから取り外すと、装置本体Ａにおいては、主制御部２１がスイッチ１９のＯＮ／ＯＦＦ状態に基づいて受話ユニットＢが取り外されたことを検出し（ステップＦ１）、電源２０を制御して各回路部への電力供給を開始させ、カメラ１４によって撮像された映像をディスプレイ６に表示させたり、マイク１１による集音やアナログ音声用高周波送信部９による受話ユニットＢとの通信を開始させる（ステップＦ２）と共に、図示しない基地局との無線接続動作を開始させ（ステップＦ３）、又受話ユニットＢにおいては、ユニット制御部２８がスイッチ２６のＯＮ／ＯＦＦ状態に基づいて装置本体Ａから取り外されたことを検出し（ステップＦ７）、電源２７を制御して各回路部への電源供給を開始させ、アナログ音声用高周波受信部２３による装置本体Ａとの通信を開始させる（ステップＦ８）。
【００４０】
この状態において、図示しない基地局を介して相手側装置と接続されると、図示しない基地局を介して送信された相手側装置からの信号はアンテナ１によって受信された後、高周波送受信部２で受信ユニット３に送られ、デマルチプレクサ１４でビデオ信号と音声信号とに分離され、その内のビデオ信号はビデオ信号出力部５に送られた後に映像としてディスプレイ６に表示される一方、音声信号はＤ／Ａ変換部７及び音声増幅部８を介してアナログ音声用高周波送信部９に送られ、アンテナ１０及びアンテナ２２を通じて受話ユニットＢのアナログ音声用高周波受信部２３に無線で送信された後、アナログ音声用高周波受信部２３で受信した音声信号は低周波増幅部２４を介してスピーカ２５により放音され、又マイク１１で集音され音声入力部１２及びＡ／Ｄ変換部１３を通じて入力されたデジタル音声信号とカメラ１４で撮像されビデオ信号入力部１５を通じて入力されたデジタルビデオ信号とがマルチプレクサ１６によって多重化され、送信ユニット１７及び高周波送受信部２を経由してアンテナ１から無線で送信され、図示しない基地局を介して相手側装置に送信されることにより、相手側装置とのテレビ電話が行われる。
【００４１】
一方、装置本体Ａから受話ユニットＢが取り外され、テレビ電話が行われている状態において、使用者が受話ユニットＢをスライドして装置本体Ａに装着すると、装置本体Ａにおいて、主制御部２１がスイッチ１９のＯＮ／ＯＦＦ状態に基づいて受話ユニットＢが装着されたことを検出し（ステップＦ４）、図示しない基地局との無線解放動作を開始させる（ステップＦ５）と共に、無線解放動作が終了した時点で電源２０を制御して各回路部への電力供給を停止させ（ステップＦ６）、又受話ユニットＢにおいては、ユニット制御部２８がスイッチ２６のＯＮ／ＯＦＦ状態に基づいて装置本体Ａに装着されたことを検出し（ステップＦ９）、電源２７を制御して各回路部への電源供給を停止させ、アナログ音声用高周波受信部２３による装置本体Ａとの通信を終了させる（ステップＦ１０）。
【００４２】
従って、上記動作制御によれば、テレビ電話使用時に必要となるイヤピースを装置本体とは別体として携帯する必要性を無くすことができると共に、使用者による繁雑な操作を要することなく、テレビ電話の開始や終了を実行させることができ、しかも携帯時においてディスプレイ６及びカメラ１４のレンズが受話ユニットＢによって閉塞されるため、ディスプレイ６やカメラ１４のレンズに対する外力による損傷や指等が接触することによる汚れ等を防止することができる。
【００４３】
尚、上記実施の形態では、キャビネットにスピーカ２５を保持させて受話ユニットを構成し、スピーカ２５と装置本体との間で一方向通信を行うようにしたが、これに限定するものではなく、キャビネットにマイク１１をも保持させて送受話ユニットを構成し、スピーカ２５及びマイク１１と装置本体との間で双方向通信を行うようにしても良く、又スピーカ２５又はマイク１１と装置本体の間の通信方法としても電波を用いる無線通信に限らず、赤外線を用いる無線通信や通信コードを用いる有線通信を使用しても良く、このとき、有線通信を使用する場合には受話ユニットを装置本体に装着する際に通信コードを受話ユニット又は装置本体において巻き取り収納するように構成すると良い。
【００４４】
又、上記実施の形態では、スイッチ１９及びスイッチ２６によって装置本体Ａと受話ユニットＢとの着脱状態を検出するようにしたが、これに限定するものではなく、装置本体Ａにおいてスイッチ１９を廃止し、カメラ１４に入射された光量を検知し、所定レベル以上の光量が検知されたときに受話ユニットＢが取り外されたと判断し、所定レベル以下の光量しか検知されないときに受話ユニットＢが装着されたと判断するようにしても良い。
【００４５】
次に、本発明の他の実施の形態を図５乃至図８に基づいて説明する。尚、図５乃至図７において図１乃至図３と共通する部分には共通の符号を付し、その説明については省略する。
【００４６】
図５乃至図７において、３１はデマルチプレクサ４からのデジタル音声信号にΔΣ変調をかけてデジタルビットストリーム信号を得るΔΣ変調部、３２はΔΣ変調部３１からのデジタルビットストリーム信号に所定の信号処理を施してアンテナ１０を介して受話ユニットＤに送信するデジタル音声用高周波送信部、３３は電源２０の電力を外部に供給するための電源端子であり、これらΔΣ変調部３１と、デジタル音声用高周波送信部３２と、電源端子３３と、アンテナ１と、高周波送受信部２と、受信ユニット３と、デマルチプレクサ４と、ビデオ信号出力部５と、ディスプレイ６と、アンテナ１０と、マイク１１と、音声信号入力部１２と、Ａ／Ｄ変換部１３と、カメラ１４と、ビデオ信号入力部１５と、マルチプレックサ１６と、送信ユニット１７と、操作部１８と、電源２０と、主制御部２１とによってテレビ電話装置の装置本体Ｃが構成されている。
【００４７】
３４はアンテナ２２を介して装置本体Ｃのアンテナ１０から送信された信号を受信するデジタル音声用高周波受信部、３５はデジタル音声用高周波受信部３４からのデジタルビットストリーム信号をアナログ音声信号に変換するＤ／Ａ変換部、３６は外部からの電力供給を受けるための電源端子であり、これらデジタル音声用高周波受信部３４と、Ｄ／Ａ変換部３５と、電源端子３６と、アンテナ２２と、低周波増幅部２４と、スピーカ２５と、電源２７と、ユニット制御部２８とによって受話ユニットＤが構成されている。
【００４８】
そして、このように構成されたテレビ電話装置は、図６及び図７に示すように、装置本体Ｃと受話ユニットＤとが別体で且つ着脱自在に設けられている。又、受話ユニットＤは、装置本体Ｃからスライドして取り外したときに耳に装着できるようになっており、受話ユニットＤを耳に装着したときにスピーカ２５が耳穴の略中心にくるように設計すると共に、違和感が少なくするために合成樹脂のような柔らかい素材を用いており、且つ装置本体Ｃにスライドさせて装着したときにディスプレイ６とカメラ１４のレンズ部分とを閉塞するような構造となっている。更に、装置本体Ｃの電源端子３３と受話ユニットＤの電源端子３６とが装置本体Ｃと受話ユニットＤとの装着時において接触する位置にそれぞれ配置されている。
【００４９】
上記のように構成されたテレビ電話装置について、テレビ電話使用時の動作を図８に示すフローチャートに基づいて説明する。
【００５０】
装置本体Ｃに受話ユニットＤが装着されている状態において、使用者が受話ユニットＤをスライドして装置本体Ｃから取り外すと、装置本体Ｃにおいては、主制御部２１が電源端子３３の端子間電圧に基づいて受話ユニットＤが取り外されたことを検出し（ステップＦ１１）、電源２０を制御して各回路部への電力供給を開始させ、カメラ１４によって撮像された映像をディスプレイ６に表示させたり、マイク１１による集音やデジタル音声用高周波送信部３２による受話ユニットＤとの通信を開始させる（ステップＦ１２）と共に、図示しない基地局との無線接続動作を開始させ（ステップＦ１３）、又受話ユニットＤにおいては、ユニット制御部２８が電源端子３６の端子間電圧に基づいて装置本体Ｃから取り外されたことを検出し（ステップＦ１７）、電源２７を制御して各回路部への電源供給を開始させ、デジタル音声用高周波受信部３４による装置本体Ｃとの通信を開始させる（ステップＦ１８）。
【００５１】
この状態において、図示しない基地局を介して相手側装置と接続されると、図示しない基地局を介して送信された相手側装置からの信号はアンテナ１によって受信された後、高周波送受信部２で受信ユニット３に送られ、デマルチプレクサ１４でビデオ信号と音声信号とに分離され、その内のビデオ信号はビデオ信号出力部５に送られた後に映像としてディスプレイ６に表示される一方、音声信号はΔΣ変調部３１を介してデジタル音声用高周波送信部３２に送られ、アンテナ１０及びアンテナ２２を通じて受話ユニットＤのデジタル音声用高周波受信部３４に無線で送信された後、デジタル音声用高周波受信部３４で受信した音声信号はＤ／Ａ変換部３５及び低周波増幅部２４を介してスピーカ２５により放音され、又マイク１１で集音され音声入力部１２及びＡ／Ｄ変換部１３を通じて入力されたデジタル音声信号とカメラ１４で撮像されビデオ信号入力部１５を通じて入力されたデジタルビデオ信号とがマルチプレクサ１６によって多重化され、送信ユニット１７及び高周波送受信部２を経由してアンテナ１から無線で送信され、図示しない基地局を介して相手側装置に送信されることにより、相手側装置とのテレビ電話が行われる。
【００５２】
一方、装置本体Ｃから受話ユニットＤが取り外され、テレビ電話が行われている状態において、使用者が受話ユニットＤをスライドして装置本体Ｃに装着すると、装置本体Ｃにおいて、主制御部２１が電源端子３３の端子間電圧に基づいて受話ユニットＤが装着されたことを検出し（ステップＦ１４）、図示しない基地局との無線解放動作を開始させる（ステップＦ１５）と共に、無線解放動作が終了した時点で電源２０を制御して各回路部への電力供給を停止させ（ステップＦ１６）、又受話ユニットＤにおいては、ユニット制御部２８が電源端子３６の端子間電圧に基づいて装置本体Ｃに装着されたことを検出し（ステップＦ１９）、電源２７を制御して各回路部への電源供給を停止させ、デジタル音声用高周波受信部３４による装置本体Ｃとの通信を終了させる（ステップＦ２０）。
【００５３】
従って、上記動作制御によれば、テレビ電話使用時に必要となるイヤピースを装置本体とは別体として携帯する必要性を無くすことができると共に、使用者による繁雑な操作を要することなく、テレビ電話の開始や終了を実行させることができ、しかも携帯時においてディスプレイ６及びカメラ１４のレンズが受話ユニットＢによって閉塞されるため、ディスプレイ６やカメラ１４のレンズに対する外力による損傷や指等が接触することによる汚れ等を防止することができる。
【００５４】
尚、上記実施の形態では、キャビネットにスピーカ２５を保持させて受話ユニットを構成し、スピーカ２５と装置本体との間でビットストリームによる一方向通信を行うようにしたが、これに限定するものではなく、キャビネットにマイク１１をも保持させて送受話ユニットを構成し、スピーカ２５及びマイク１１と装置本体との間でビットストリームによる双方向通信を行うようにしても良く、又スピーカ２５又はマイク１１と装置本体の間の通信方法としても電波を用いる無線通信に限らず、赤外線を用いる無線通信や通信コードを用いる有線通信を使用しても良く、このとき、有線通信を使用する場合には受話ユニットを装置本体に装着する際に通信コードを受話ユニット又は装置本体において巻き取り収納するように構成すると良い。
【００５５】
又、上記実施の形態では、電源端子３３及び電源端子３６の端子間電圧によって装置本体Ｃと受話ユニットＤとの着脱状態を検出するようにしたが、これに限定するものではなく、装置本体Ｃにおいて電源端子３３の端子間電圧による着脱状態の検出を廃止し、カメラ１４に入射された光量を検知し、所定レベル以上の光量が検知されたときに受話ユニットＢが取り外されたと判断し、所定レベル以下の光量しか検知されないときに受話ユニットＤが装着されたと判断するようにしても良い。
【００５６】
次に、本発明の更に他の実施の形態を図９乃至図１４に基づいて説明する。尚、図９乃至図１３において図１乃至図３と共通する部分には共通の符号を付し、その説明については省略する。
【００５７】
図９乃至図１３において、４１はＤ／Ａ変換部７からのアナログ音声信号に所定の信号処理を施す音声信号出力部、４２は音声信号出力部４１からのアナログ音声信号に基づく音声を放音するスピーカであり、これら音声信号出力部４１と、アンテナ１と、高周波送受信部２と、受信ユニット３と、デマルチプレクサ４と、ビデオ信号出力部５と、ディスプレイ６と、Ｄ／Ａ変換部７と、音声信号入力部１２と、Ａ／Ｄ変換部１３と、カメラ１４と、ビデオ信号入力部１５と、マルチプレックサ１６と、送信ユニット１７と、操作部１８と、スイッチ１９と、電源２０と、主制御部２１とによってテレビ電話装置の装置本体Ｅが構成され、又スピーカ４２とマイク１１とによって送受話ユニットＦが構成され、更に装置本体Ｅと送受話ユニットＦとが信号線Ｇによって接続されている。
【００５８】
そして、このように構成されたテレビ電話装置は、図１０乃至図１３に示すように、装置本体Ｅと送受話ユニットＦとは別体で且つ着脱自在に設けられ信号線Ｇによって接続されているが、この信号線Ｇは装置本体Ｅから送受話ユニットＦを取り外したときに引き伸ばされるようになっており、通常は巻取ボタン４４の押圧によって巻取動作を行う図示しないコード巻取機構によって巻き取られて装置本体Ｅ内に収納されるようになっている。
【００５９】
又、送受話ユニットＦは、装置本体Ｅから取り外したときに耳に装着できるようになっており、送受話ユニットＦを耳に装着したときにスピーカ４２が耳穴の略中心で且つマイク１１が口の近傍にくるように設計されており、且つ装置本体Ｅに装着したときに送受話ユニットＦがカメラ１４のレンズ部分を閉塞すると共に、一般的な携帯電話機と同様に操作部１８とマイク１１とスピーカ４２とが正面に位置するような構造となっており、送受話ユニットＦを装置本体Ｅに装着した状態において一般的な携帯電話機と同様に扱うことができようになっている。
【００６０】
更に、装置本体Ａのスイッチ１９は、装置本体Ａと受話ユニットＢとの着脱によってＯＮ／ＯＦＦされるような位置に配置されている。
【００６１】
上記のように構成されたテレビ電話装置について、テレビ電話及び通常電話使用時の動作を図１４に示すフローチャートに基づいて説明する。
【００６２】
図示しない基地局を介した相手側装置との接続が行われていない待機状態において、主制御部２１はスイッチ１９のＯＮ／ＯＦＦ状態に基づいて送受話ユニットＦが装置本体Ｅから取り外されたか否かを検出し（ステップＦ２１）、取り外されたことが検出されたときに電源２０を制御して映像処理に関する回路部への電力供給を開始させてカメラ１４によって撮像された映像をディスプレイ６に表示させ（ステップＦ２２）、又装着されたことが検出されたときに電源２０を制御して各回路部への電力供給を停止させてディスプレイ６の表示を停止させている（ステップＦ２３）。
【００６３】
一方、この待機状態において、使用者が操作部１８を操作して通話要求を行うと、主制御部２１は操作部１８からの指示信号に基づいて通話要求があったことを検出し（ステップＦ２４）、電源２０を制御して通信処理に関する回路部への電力供給を開始させ（ステップＦ２５）、図示しない基地局との無線接続動作を開始させる（ステップＦ２６）と共に、スイッチ１９のＯＮ／ＯＦＦ状態に基づいて送受話ユニットＦが装置本体Ｅから取り外されたか否かを検出し（ステップＦ２７）、取り外されたことが検出されたときに電源２０を制御して映像処理に関する回路部への電力供給を開始させてテレビ電話が可能な状態とし（ステップＦ２８）、又装着されたことが検出されたときに電源２０を制御して各回路部への電力供給を停止させて音声による通常電話が可能な状態とする（ステップＦ２９）。
【００６４】
そして、テレビ電話が可能な状態において、図示しない基地局を介して相手側装置と接続された場合には、図示しない基地局を介して送信された相手側装置からの信号はアンテナ１によって受信された後、高周波送受信部２で受信ユニット３に送られ、デマルチプレクサ１４でビデオ信号と音声信号とに分離され、その内のビデオ信号はビデオ信号出力部５に送られた後に映像としてディスプレイ６に表示される一方、音声信号はＤ／Ａ変換部７及び音声信号出力部４１を介してスピーカ４２により放音され、又マイク１１で集音され音声入力部１２及びＡ／Ｄ変換部１３を通じて入力されたデジタル音声信号とカメラ１４で撮像されビデオ信号入力部１５を通じて入力されたデジタルビデオ信号とがマルチプレクサ１６によって多重化され、送信ユニット１７及び高周波送受信部２を経由してアンテナ１から無線で送信され、図示しない基地局を介して相手側装置に送信されることにより、相手側装置とのテレビ電話が行われる。
【００６５】
又、音声による通常電話が可能な状態において、図示しない基地局を介して相手側装置と接続された場合には、図示しない基地局を介して送信された相手側装置からの信号はアンテナ１によって受信された後、高周波送受信部２で受信ユニット３に送られ、デマルチプレクサ１４でビデオ信号と音声信号とに分離され、その内の音声信号のみがＤ／Ａ変換部７及び音声信号出力部４１を介してスピーカ４２により放音され、又マイク１１で集音され音声入力部１２及びＡ／Ｄ変換部１３を介して送られたデジタル音声信号がマルチプレクサ１６及び送信ユニット１７並びに高周波送受信部２を経由してアンテナ１から無線で送信され、図示しない基地局を介して相手側装置に送信されることにより、相手側装置との音声のみによる電話が行われる。
【００６６】
尚、主制御部２１は、テレビ電話使用時及び通常電話使用時においても、常時スイッチ１９の状態を監視し、送受話ユニットＦの着脱状態に応じて電源２０を制御して映像処理に関する回路部への電力供給を制御することにより、テレビ電話から音声のみによる通常電話に、又は音声のみによる通常電話からテレビ電話に自動的に切り換えるようにしている。
【００６７】
一方、テレビ電話又は音声のみによる電話が行われている状態において、使用者が操作部１８を操作して終話要求を行うと、主制御部２１は操作部１８からの指示信号に基づいて終話要求があったことを検出し（ステップＦ３０）、図示しない基地局との無線解放動作を開始させる（ステップＦ３１）と共に、無線解放動作が終了した時点で電源２０を制御して通信処理に関する回路部への電力供給を停止させ（ステップＦ３２）、待機状態とする。
【００６８】
従って、上記動作制御によれば、テレビ電話使用時に必要となるイヤピースを装置本体とは別体として携帯する必要性を無くしつつ、テレビ電話使用時において必要以上に大きな声で喋る必要性を無くすことができると共に、キャビネットを装着した状態において通常の携帯電話として有効にスピーカ４２及びマイク１１を使用することができ、且つ通常の携帯電話として使用したときの無駄な電力消費をも抑制することができる。
【００６９】
又、待機時において送受話ユニットＦを着脱するだけで自動的にカメラ１４とディスプレイ６の使用を可能とすることができると共に、通話時において送受話ユニットＦを着脱するだけで音声のみによる通常電話からテレビ電話に又はテレビ電話から音声のみによる通常電話に自動的に切り換えることができ、しかも、携帯時においてカメラ１４のレンズが送受話ユニットＦによって閉塞されるため、カメラ１４のレンズに対する外力による損傷や指等が接触することによる汚れ等を防止することもできる。
【００７０】
尚、上記実施の形態では、キャビネットにマイク１１とスピーカ４２を保持させて送受話ユニットＦを構成し、マイク１１及びスピーカ４２と装置本体Ｅとの間で双方向通信を行うようにしたが、これに限定するものではなく、キャビネットにスピーカ４２のみ保持させて受話ユニットを構成し、スピーカ４２と装置本体Ｅとの間で一方向通信を行うようにしても良い。
【００７１】
又、上記実施の形態では、マイク１１及びスピーカ４２と装置本体の間の通信方法として通信コードを用いる有線通信を使用したが、これに限定するものではなく、電波や赤外線を用いる無線通信を使用するようにしても良く、無線通信を使用する場合には、送受話ユニットの紛失を防止するため、装置本体によって送受話ユニットを呼び出すことができるようにすると良い。
【００７２】
更に、上記実施の形態では、送受話ユニットＦによってカメラ１４のレンズのみを閉塞するようにしたが、これに限定するものではなく、ディスプレイ６を閉塞するようにしても良い。
【００７３】
【発明の効果】
以上のように、本発明によれば、テレビ電話使用時に必要となるイヤピースを装置本体とは別体として携帯する必要性を無くすことができるため、携帯性の劣化及び繁雑な手続きや相手との会話内容が周囲に漏れるといったことを防止しつつ、カメラ及びディスプレイと使用者との関係において一定の距離を保つことができる。
【００７４】
本発明によれば、テレビ電話使用時に必要となるイヤピースを装置本体とは別体として携帯する必要性を無くすことができると共に、テレビ電話使用時において必要以上に大きな声で喋る必要性をも無くすことができるため、周囲への迷惑を軽減することができる。
【００７５】
本発明によれば、キャビネットを取り外した状態においてテレビ電話として有効にスピーカ又はマイクを使用することができると共に、キャビネットを装着した状態において通常の携帯電話として有効にスピーカ又はマイクを使用することができるため、テレビ電話使用時及び携帯電話使用時における使い勝手を向上することができる。
【００７６】
本発明によれば、ディスプレイに対する外力による損傷や指等が接触することによる汚れ等を防止することができるため、携帯型テレビ電話装置の携帯性をより一層向上することができる。
【００７７】
本発明によれば、カメラのレンズに対する外力による損傷や指等が接触することによる汚れ等を防止することができるため、携帯型テレビ電話装置の携帯性をより一層向上することができる。
【００７８】
本発明によれば、専用のスイッチや回路等を設けることなく、キャビネットと装置本体との着脱状態を検出することができるため、装置本体の小型化を促進することができる。
【００７９】
本発明によれば、使用者による繁雑な操作を要することなく、テレビ電話を開始させることができるため、テレビ電話使用時の操作性を向上することができる。
【００８０】
本発明によれば、使用者による繁雑な操作を要することなく、テレビ電話を終了させることができるため、テレビ電話使用時の操作性を向上することができる。
【００８１】
本発明によれば、使用者による繁雑な操作を要することなく、自画像等の表示を開始させることができるため、テレビ電話機能に付随する他機能を使用するときの操作性を向上することができる。
【００８２】
本発明によれば、通常の携帯電話として使用した場合における無駄な電力消費を抑制することができるため、携帯型テレビ電話装置の使用可能時間を長くすることができる。
【００８３】
本発明によれば、通常の携帯電話として使用している状態において、使用者による繁雑な操作を要することなく、テレビ電話を開始させることができるため、携帯型テレビ電話装置の使用可能時間を長くすることによる操作性の劣化を防止することができる。
【図面の簡単な説明】
【図１】本発明の一実施の形態である携帯型テレビ電話装置の電気的構成を示す機能ブロック図である。
【図２】同携帯型テレビ電話装置において受話ユニットを装着した状態の外観構造を示す説明図である。
【図３】同携帯型テレビ電話装置の外観構造を示す説明図であり、（ａ）は受話ユニットを取り外した状態の装置本体を、（ｂ）は装置本体から取り外された受話ユニットの正面を、（ｃ）は装置本体から取り外された受話ユニットの裏面をそれぞれ示すものである。
【図４】同携帯型テレビ電話装置におけるテレビ電話使用時の動作制御を示すフローチャートである。
【図５】本発明の他の実施の形態である携帯型電話装置の電気的構成を示す機能ブロック図である。
【図６】同携帯型テレビ電話装置において受話ユニットを装着した状態の外観構造を示す説明図である。
【図７】同携帯型テレビ電話装置の外観構造を示す説明図であり、（ａ）は受話ユニットを取り外した状態の装置本体を、（ｂ）は装置本体から取り外された受話ユニットの正面を、（ｃ）は装置本体から取り外された受話ユニットの裏面をそれぞれ示すものである。
【図８】同携帯型テレビ電話装置におけるテレビ電話使用時の動作制御を示すフローチャートである。
【図９】本発明の更に他の実施の形態である携帯型テレビ電話装置の電気的構成を示す機能ブロック図である。
【図１０】同携帯型テレビ電話装置において送受話ユニットを装着した状態の外観構造を示す正面斜視図である。
【図１１】同携帯型テレビ電話装置において送受話ユニットを取り外した状態の外観構造を示す正面斜視図である。
【図１２】同携帯型テレビ電話装置において送受話ユニットを取り外した状態の外観構造を示す裏面斜視図である。
【図１３】同携帯型テレビ電話装置の使用形態を示す説明図であり、（ａ）は送受話ユニットを装着した状態を、（ｂ）は送受話ユニットを取り外した状態をそれぞれ示すものである。
【図１４】同携帯型テレビ電話装置におけるテレビ電話使用時及び通常電話使用時の動作制御を示すフローチャートである。
【符号の説明】
１、１０、２２    アンテナ
２    高周波送受信部
３    受信ユニット
４    デマルチプレクサ
５    ビデオ信号出力部
６    ディスプレイ
７    Ｄ／Ａ変換部
８    音声増幅部
９    アナログ音声用高周波送信部
１１    マイク
１２    音声信号入力部
１３    Ａ／Ｄ変換部
１４    カメラ
１５    ビデオ信号入力部
１６    マルチプレクサ
１７    送信ユニット
１８    操作部
１９、２６    スイッチ
２０、２７    電源
２１    主制御部
２３    アナログ音声用高周波受信部
２４    低周波増幅部
２５    スピーカ
２８    ユニット制御部
【図１】
0003737297.tif 000002
【図２】
0003737297.tif 000003
【図３】
0003737297.tif 000004
【図４】
0003737297.tif 000005
【図５】
0003737297.tif 000006
【図６】
0003737297.tif 000007
【図７】
0003737297.tif 000008
【図８】
0003737297.tif 000009
【図９】
0003737297.tif 000010
【図１０】
0003737297.tif 000011
【図１１】
0003737297.tif 000012
【図１２】
0003737297.tif 000013
【図１３】
0003737297.tif 000014
【図１４】
0003737297.tif 000015